(57)【特許請求の範囲】
【請求項１】
ＩＣタグが付された書籍類を管理するための管理システムであって、
前記書籍類または前記書籍類を収納するケースが並べられる、管理用棚と、
前記管理用棚に配置されるシート状アンテナと、
前記シート状アンテナの表面上に、前記シート状アンテナの表面に対して略垂直に配置され、前記ＩＣタグと前記シート状アンテナとの交信で使用される電磁波を反射する反射板と、  
前記書籍類のＩＣタグのアンテナおよび前記シート状アンテナを介して、前記書籍類のＩＣタグと通信するリーダ／ライタと、
前記ＩＣタグと前記リーダ／ライタとの通信により得られた情報に基づいて、前記書籍類を管理する管理装置と、を備え、
前記反射板は、前記管理用棚上で、前記シート状アンテナの表面に対して平行に移動可能である
ことを特徴とする管理システム。
【請求項２】
前記書籍類、または、前記書籍類を収納するケースに、設けられたブーストアンテナをさらに備える
ことを特徴とする請求項１に記載の管理システム。
【請求項３】
前記反射板の長さは、前記シート状アンテナが送受信する電磁波の波長の略正の整数倍または略正の整数分の１に設定される
ことを特徴とする請求項２に記載の管理システム。
【請求項４】
前記反射板は、前記シート状アンテナの表面に対して略垂直に配置される平板状の導体を有することを特徴とする請求項２または３に記載の管理システム。
【請求項５】
前記反射板は、前記シート状アンテナの表面に対して略垂直に配置されるメッシュ状の導体を有することを特徴とする請求項２または３に記載の管理システム。
【請求項６】
前記書籍類は、書籍、新聞、雑誌、ＣＤ、ＤＶＤ、ＢＤ、ビデオテープ、オーディオテープの何れかである
ことを特徴とする請求項２ないし５のいずれか一項に記載の管理システム。
【請求項７】
前記ＩＣタグのアンテナは、ダイポール型のアンテナであることを特徴とする請求項２ないし６のいずれか一項に記載の管理システム。
【請求項８】
前記ＩＣタグは、前記書籍類の表面に付されていることを特徴とする請求項２ないし７のいずれか一項に記載の管理システム。
【請求項９】
前記書籍類は、円形の形状を有する光ディスクであり、
前記ブーストアンテナは、複数のバーアンテナを含み、
前記複数のバーアンテナの交点は、前記ケースに収納される光ディスクの略中心に設けられた前記ＩＣタグのダイポール型のアンテナの中心を通る、前記光ディスクの表面の垂線上に位置する
ことを特徴とする請求項２ないし８のいずれか一項に記載の管理システム。
【請求項１０】
前記ケースは、
前記書籍類である光ディスクを収納するためのケース本体と、
前記ケース本体に収納された前記光ディスクの表面と略平行になるように、前記ケース本体に設けられた前記ブーストアンテナと、を有し、
前記ブーストアンテナは、
前記ケース本体に収納された前記光ディスクの中心を通る直線上で交差する、複数のバーアンテナを含む
ことを特徴とする請求項２ないし８のいずれか一項に記載の管理システム。
【請求項１１】
前記複数のバーアンテナは、帯状の導体から成ることを特徴とする請求項１０に記載の管理システム。
【請求項１２】
前記ブーストアンテナは、ダイポール形状を有することを特徴とする請求項２ないし１１のいずれか一項に記載の管理システム。
【請求項１３】
前記バーアンテナの長さは、送受信する電磁波の波長の略正の整数倍または略正の整数分の１である
ことを特徴とする請求項１０に記載の管理システム。
【請求項１４】
前記ＩＣタグのダイポール型のアンテナの偏波方向は、前記光ディスクの前記表面と略平行であることを特徴とする請求項１０に記載の管理システム。
【請求項１５】
アンテナを有するＩＣタグが付された書籍類、または、前記書籍類を収納するケースが並べられる管理用棚に、配置されるシート状アンテナと、
前記シート状アンテナの表面上に、前記シート状アンテナの表面に対して略垂直に配置され、前記ＩＣタグと前記シート状アンテナとの交信で使用される電磁波を反射する反射板と、を備え、
前記反射板は、前記管理用棚上で、前記シート状アンテナの表面に対して平行に移動可能である
ことを特徴とするアンテナ。
【請求項１６】
前記書籍類または前記ケースにブーストアンテナが設けられていることを特徴とする請求項１５に記載のアンテナ。
【請求項１７】
アンテナを有するＩＣタグが付された書籍類を並べるための管理用棚であって、
シート状アンテナが底面または背面に配置され、前記ＩＣタグと前記シート状アンテナとの交信で使用される電磁波を反射する反射板が、前記シート状アンテナの表面上に、前記シート状アンテナの表面に対して略垂直に配置され、
前記反射板は、前記管理用棚上で、前記シート状アンテナの表面に対して平行に移動可能である
ことを特徴とする管理用棚。
【請求項１８】
リーダ／ライタが、前記書籍類のＩＣタグのアンテナおよび前記シート状アンテナを介して、前記書籍類のＩＣタグと通信し、
管理装置が、前記ＩＣタグと前記リーダ／ライタとの通信により得られた情報に基づいて、前記書籍類を管理するようになっている
ことを特徴とする請求項１７に記載の管理用棚。
【発明の詳細な説明】
【技術分野】
【０００１】
本発明は、例えば、ＣＤ、ＤＶＤ、ＢＤ、本、雑誌等の書籍類の管理システムに関する。
【背景技術】
【０００２】
従来、管理に必要な情報を記憶しているＩＣタグを光記録媒体に貼り付け、該ＩＣタグとリーダ／ライタとを通信することにより、該光記録媒体を管理するシステムがある。
【０００３】
例えば、光記録媒体を収納する光記録媒体用ケースを配置する管理用棚の背面、または、底面に、リーダ／ライタ用のシート状アンテナ（例えば、特許文献１参照）を配置する場合がある。この場合、光記録媒体に貼り付けられたＵＨＦ帯用のＩＣタグ（例えば、特許文献２参照）は、その偏波方向の指向性の影響により、該リーダ／ライタは十分な読み取り性能を発揮することができない問題がある。
【０００４】
すなわち、上記従来技術では、複数の光記録媒体に付されたＩＣタグを適切に読み取ることができず、光記録媒体に対する所定の管理が実施できない。
【特許文献１】特開２０１０-１１４６９６号公報
【特許文献２】特開２００６−１４９６８号公報
【発明の開示】
【発明が解決しようとする課題】
【０００５】
本発明は、ＩＣタグの読み取り性能を向上することが可能なアンテナ、管理用棚、および、管理システムを提供する。
【課題を解決するための手段】
【０００６】
本発明の一態様に係る管理システムは、
ＩＣタグが付された書籍類を管理するための管理システムであって、
前記書籍類または前記ケースが並べられる、管理用棚と、
前記管理用棚に配置されるシート状アンテナと、
前記シート状アンテナの表面上に、前記シート状アンテナの表面に対して略垂直に配置され、前記ＩＣタグと前記シート状アンテナとの交信で使用される電磁波を反射する反射板と、
前記書籍類のＩＣタグおよび前記シート状アンテナを介して、前記書籍類のＩＣタグと通信するリーダ／ライタと、
前記ＩＣタグと前記リーダ／ライタとの通信により得られた情報に基づいて、前記光ディスクを管理する管理装置と、を備える
ことを特徴とする。
【０００７】
また、上記管理システムにおいて、
前記書籍類、または、前記書籍類を収納するケースに、設けられたブーストアンテナをさらに備えていてもよい。
【０００８】
また、上記管理システムにおいて、
前記反射板の長さは、前記シート状アンテナが送受信する電磁波の波長の略正の整数倍または略正の整数分の１に設定されてもよい。
【０００９】
また、上記管理システムにおいて、
前記反射板は、前記シート状アンテナの表面に対して略垂直に配置される平板状の導体を有してもよい。
【００１０】
また、上記管理システムにおいて、
前記反射板は、前記シート状アンテナの表面に対して略垂直に配置されるメッシュ状の導体を有してもよい。
【００１１】
また、上記管理システムにおいて、
前記反射板は、前記管理用棚上で、前記シート状アンテナの表面に対して平行に移動可能であってもよい。
【００１２】
また、上記管理システムにおいて、
前記書籍類は、書籍、新聞、雑誌、ＣＤ、ＤＶＤ、ＢＤ、ビデオテープ、オーディオテープの何れかであってもよい。
【００１３】
また、上記管理システムにおいて、
前記ＩＣタグのアンテナは、ダイポール型のアンテナであってもよい。
【００１４】
また、上記管理システムにおいて、
前記ブーストアンテナが前記ＩＣタグと前記シート状アンテナとの交信で使用される電磁波を反射するようにしてもよい。
【００１５】
また、上記管理システムにおいて、
前記ＩＣタグは、前記書籍類の表面に付されていてもよい。
【００１６】
また、上記管理システムにおいて、
前記書籍類は、円形の形状を有する光ディスクであり、
前記複数のバーアンテナの交点は、前記ケースに収納される光ディスクの略中心に設けられた前記ＩＣタグのダイポール型のアンテナの中心を通る、前記光ディスクの表面の垂線上に位置してもよい。
【００１７】
また、上記管理システムにおいて、
前記ケースは、
前記書籍類である光ディスクを収納するためのケース本体と、
前記ケース本体に収納された前記光ディスクの表面と略平行になるように、前記ケース本体に設けられた前記ブーストアンテナと、を有し、
前記ブーストアンテナは、
前記ケース本体に収納された前記光ディスクの中心を通る直線上で交差する、複数のバーアンテナを含んでいてもよい。
【００１８】
また、上記管理システムにおいて、
前記複数のバーアンテナは、帯状の導体から成ってもよい。また、上記管理システムにおいて、
前記ブーストアンテナは、ダイポール形状を有してもよい。
【００１９】
また、上記管理システムにおいて、
前記バーアンテナの長さは、送受信する電磁波の波長の略正の整数倍または略正の整数分の１であってもよい。
【００２０】
また、上記管理システムにおいて、
前記ＩＣタグのダイポール型のアンテナの偏波方向は、前記光ディスクの前記表面と略平行であってもよい。
【００２１】
本発明の一態様に係るアンテナは、
アンテナを有するＩＣタグが付された書籍類、または、前記書籍類を収納するケースが並べられる管理用棚に、配置されるシート状アンテナと、
前記シート状アンテナの表面上に、前記シート状アンテナの表面に対して略垂直に配置され、前記ＩＣタグと前記シート状アンテナとの交信で使用される電磁波を反射する反射板と、を備える
ことを特徴とする。
【００２２】
また、上記アンテナにおいて、
前記書籍類または前記ケースにブーストアンテナが設けられてもよい。
【００２３】
本発明の一態様に係る管理用棚は、
アンテナを有するＩＣタグが付された書籍類を並べるための管理用棚であって、
シート状アンテナが底面または背面に配置され、前記ＩＣタグと前記シート状アンテナとの交信で使用される電磁波を反射する反射板が、前記シート状アンテナの表面上に、前記シート状アンテナの表面に対して略垂直に配置されている
ことを特徴とする。
【００２４】
また、上記管理用棚において、
リーダ／ライタが、前記書籍類のＩＣタグのアンテナおよび前記シート状アンテナを介して、前記書籍類のＩＣタグと通信し、
管理装置が、前記ＩＣタグと前記リーダ／ライタとの通信により得られた情報に基づいて、前記光ディスクを管理するようになってもよい。
【発明の効果】
【００２５】
本発明に係るアンテナ、管理用棚、および、管理システムは、ＩＣタグの読み取り性能を向上することができる。
【図面の簡単な説明】
【００２６】
【図１】図１は、本発明の一態様である実施例１に係るＩＣタグ１００が付された光ディスク（光記録媒体）１の構成の一例を示す図である。
【図２】図２は、図１に示す光ディスク１を収納した状態の実施例１に係る光記録媒体用ケースの構成の一例を示す図である。
【図３】図３は、図２に示す光記録媒体用ケース３を並べた状態の、シート状アンテナ２００および反射板５００が配置された管理用棚４００の構成の一例を示す図である。
【図４】図４は、図３に示すシート状アンテナ２００、反射板５００、リーダ／ライタ３２０、および、管理装置３１０を含む管理システム１０００の一例を示す図である。
【図５】図３は、図２に示す光記録媒体用ケース３を並べた状態の、シート状アンテナ２００および反射板５００が配置された管理用棚４００の構成の一例を示す図である。
【図６】図６は、図２に示す光記録媒体用ケース３を並べた状態の、シート状アンテナ２００および反射板５００が配置された管理用棚４００の構成の例を示す図である。
【図７】図７は、図２に示す光記録媒体用ケース３を並べた状態の、シート状アンテナ２００および反射板５００が配置された管理用棚４００の構成の例を示す図である。
【発明を実施するための最良の形態】
【００２７】
以下、本発明による管理システムの実施の形態について図面に基づいて説明する。
【００２８】
なお、以下では、「書籍類」とは、書籍のみならず、新聞、雑誌、資料、書類、その他の紙製媒体や、このような紙製媒体をバインダ等により綴じ込むことによって作成された書類綴じ込みファイルや、ＣＤ、ＤＶＤ、ＢＤ等の光記録媒体や、ビデオテープ、オーディオテープ等の磁気記録媒体も含んでいる。
【実施例１】
【００２９】
この実施例１では、一例として、上述の書籍類のうち、光記録媒体である光ディスク（ＤＶＤ）に本発明を適用した場合について説明するが、他の上述の書籍類に関しても同様に説明される。
【００３０】
図１は、本発明の一態様である実施例１に係るＩＣタグ１００が付された光ディスク（光記録媒体）１の構成の一例を示す図である。また、図２は、図１に示す光ディスク１を収納した状態の実施例１に係る光記録媒体用ケースの構成の一例を示す図である。
【００３１】
図１に示すように、既述の書籍類の１つである光ディスク１は、円形の形状を有し、その中央に光ディスク１のプレーヤ（図示せず）の支持部に係合するための穴１ａが形成されている。この光ディスク１は、例えば、ＣＤ、ＤＶＤ、ＢＤ等の光記録媒体である。
【００３２】
また、この光ディスク１の表面には、この光ディスク１を管理するためのＩＣタグ１００が設けられている。
【００３３】
また、図１に示すように、ＩＣタグ１００は、例えば、インレットを構成する、ＩＣチップ１００ａと、ダイポール型のアンテナ１００ｂと、を備える。
【００３４】
ＩＣチップ１００ａは、情報を記憶するためのメモリ部（図示せず）と、該メモリ部への情報の記憶動作、該メモリ部からの情報の読み出し動作、および、無線通信動作を制御する制御部（図示せず）を有する。
【００３５】
ダイポール型のアンテナ１００ｂは、例えば、ループ状の形状を有するループ部１００ｂ−１と、光ディスク１の表面上に延在する延在部１００ｂ−２とを含む。なお、図１の例では、延在部１００ｂは、矩形波状に光ディスク１の表面上に延在している。
【００３６】
したがって、ＩＣタグ１００のダイポール型のアンテナ１００ｂの偏波方向は、光ディスク１の表面と略平行である。
【００３７】
また、該インレットは、例えば、両面テープ（図示せず）により光ディスク１の表面に貼り付けられている。
【００３８】
また、該インレットは、光ディスク１に対向しない面（上面）に、ラベル表紙（図示せず）が、例えば、アクリル系の粘着剤により、貼り付けられている。
【００３９】
ここで、図２に示すように、光記録媒体用ケース３は、ダイポール型のアンテナ１００ｂを有するＩＣタグ１００が表面に付された光ディスク１を収納するようになっている。
【００４０】
この光記録媒体用ケース３は、例えば、光ディスク１の穴１ａに係合する支持部（図示せず）を、穴１ａに係合させることにより、光ディスク１を内部で支持するようになっている。
【００４１】
この光記録媒体用ケース３は、ケース本体３１と、ブーストアンテナ２と、を備える。
【００４２】
ケース本体３１は、光ディスク１を収納するようになっている。このケース本体３１は、例えば、略直方体の形状を有する。
【００４３】
ブーストアンテナ２は、ケース本体３１に収納された光ディスク１の表面と略平行になるように、ケース本体３１に設けられている。すなわち、ブーストアンテナ２は、ケース本体３１の１つの面に設けられている。
【００４４】
なお、ブーストアンテナ２は、ケース本体３１の内面に設けられていても、また、ケース本体３１の外面に設けられていてもよい。
【００４５】
また、ブーストアンテナ２が紙（歌詞カード）等の基材に設けられ、この基材をケース本体３１に添付されることにより、ブーストアンテナ２がケース本体３１に設けられてもよい。
【００４６】
このブーストアンテナ２は、例えば、ダイポール形状を有する。
【００４７】
このブーストアンテナ２は、導体で構成される。すなわち、このブーストアンテナ２は、例えば、Ａｌ、Ａｇ等の金属箔で構成される。
【００４８】
このブーストアンテナ２は、例えば、ケース本体３１に収納された光ディスク１の中心（光ディスク１を支持する支持部（図示せず））を通る直線上で交差する、複数のバーアンテナ２ａ、２ｂを含む。バーアンテナ２ａとバーアンテナ２ｂとは、例えば、それぞれの重心で、交差している。
【００４９】
特に、図２に示す例では、２つのバーアンテナ２ａ、２ｂは、例えば、ケース本体３１に収納された光ディスク１の中心を通る直線上で、直交するように配置されている。
【００５０】
すなわち、複数のバーアンテナ２ａ、２ｂの交点は、光記録媒体用ケース３に収納される光ディスク１の略中心に設けられたＩＣタグ１００のダイポール型のアンテナ１００ｂの中心を通る、光ディスク１の表面の垂線上に位置する。
【００５１】
また、ブーストアンテナ２は、光記録媒体用ケース３に収納される光ディスク１の表面と略平行になるように、ケース本体３１上に伸びて配置されている。
【００５２】
また、直交する２つのバーアンテナ２ａ、２ｂの一方（２ａ）は、ケース本体３１の１つの角に向かって延在し、直交する２つのバーアンテナの他方（２ｂ）は、ケース本体３１の他の角に向かって延在している。
【００５３】
この複数のバーアンテナ２ａ、２ｂは、帯状の導体から成る。このブーストアンテナ２は、帯状の導電材料テープから、貼付、転写、エッチング、印刷、または、接着により、光記録媒体用ケース３に、所定の長さおよび形状で形成される。
【００５４】
また、バーアンテナ２ａ、２ｂの長さは、例えば、送受信する電磁波の波長の略正の整数倍または略正の整数分の１である。例えば、ＵＨＦ帯（９００ＭＨｚ程度）での使用を想定した場合、ブーストアンテナ２を構成するバーアンテナ２ａ、２ｂの長手方向の長さは１５ｃｍ程度となる。また、このバーアンテナの幅方向の幅は、例えば、５ｍｍ程度である。このバーアンテナの厚さは、例えば、９μｍ〜５０μｍである。
【００５５】
このブーストアンテナ２とＩＣタグ１００のダイポール型のアンテナ１００ｂとの間は、例えば、電磁結合、電磁誘導、静電結合の１つ、又は組み合わせにより非接触で電気信号を伝達することがきるようになっている。
【００５６】
ここで、既述のＩＣタグ１００のＩＣチップ１００ａは、ダイポール型のアンテナ１００ｂ、ブーストアンテナ２、および、シート状アンテナ２００を介して、リーダ／ライタ（質問器（Ｉｎｔｅｒｒｏｇａｔｏｒ））へ情報を読み出し、または、該質問器からシート状アンテナ２００、ダイポール型のアンテナ１００ｂ、および、ブーストアンテナ２を介して入力された情報を記憶する。
【００５７】
また、ＩＣタグ１００は、ダイポール型のアンテナ１００ｂとブーストアンテナ２との相対的な位置関係に応じて、シート状アンテナ２００との交信距離が異なるようになっている。
【００５８】
このＩＣタグ１００は、リーダ／ライタ３２０（シート状アンテナ２００）との交信周波数が、例えば、８００ＭＨｚから１０ＧＨｚの範囲である。
【００５９】
また、ＩＣタグ１００は、ダイポール型のアンテナ１００ｂに接続されるＩＣチップ１００ａのインピーダンスと、ブーストアンテナ２のインピーダンスとを整合することにより、受信電力を向上することができる。
【００６０】
なお、図２の例では、光記録媒体用ケース３のケース本体３１に直接光ディスク１が収納される例を示しているが、ケース本体３１は、光ディスク１を収納した中箱（図示せず）を収納することにより、光ディスク１をケース本体３１内に収納するようにしてもよい。
【００６１】
次に、以上のような構成を有する光記録媒体用ケース３に収納された光ディスク１を管理するための管理システムの例について説明する。
【００６２】
ここで、図３は、図２に示す光記録媒体用ケース３を並べた状態の、シート状アンテナ２００および反射板５００が配置された管理用棚４００の構成の一例を示す図である。また、図４は、図３に示すシート状アンテナ２００、反射板５００、リーダ／ライタ３２０、および、管理装置３１０を含む管理システム１０００の一例を示す図である。
【００６３】
図３に示すように、管理用棚４００は、底面４上に、複数の光記録媒体用ケース３が並んで配置されるようになっている。そして、管理用棚４００の底面４に、シート状アンテナ２００が配置されている。なお、この管理用棚４００の底面４および背面５は、導体で構成されている。
【００６４】
なお、後述のように、ＩＣタグ１００の偏波方向に指向性があるので、シート状アンテナ２００の表面と光記録媒体用ケース３（光ディスク１）の表面（すなわち、ブーストアンテナ２の延伸方向）とは、直交するように配置されるのが好ましい。
【００６５】
また、反射板５００は、例えば、平板状の形状を有する。図３、４の例では、この反射板５００は、略直方体の形状を有する。この反射板５００の表面の大きさは、例えば、ＩＣタグ１００の表面の大きさよりも大きくなるように設定される。さらに、例えば、反射板５００の表面の大きさは、光記録媒体用ケース１が配置されるシート状アンテナ２００の表面に垂直な方向の管理用棚４００の断面と、同程度の大きさを有するようにしてもよい。
【００６６】
この反射板５００は、例えば、シート状アンテナ２００の表面に対して略垂直に配置される平板状のＡｌ、Ａｇ等の金属（導体）を含む。なお、この反射板５００は、シート状アンテナの表面に対して略垂直に配置されるメッシュ状のＡｌ、Ａｇ等の金属（導体）を含むようにしてもよい。
【００６７】
この反射板５００は、ＩＣタグ１００とシート状アンテナ２００との交信で使用される、例えば、ＵＨＦ帯（９００ＭＨｚ程度）の電磁波を、反射するようになっている。なお、光記録媒体用ケース３のブーストアンテナ２がＩＣタグ１００とシート状アンテナ２００との交信で使用される、例えば、ＵＨＦ帯（９００ＭＨｚ程度）の電磁波を、反射するようになっていてもよい。
【００６８】
さらに、この反射板５００の長さは、例えば、シート状アンテナ２００が送受信する電磁波の波長の略正の整数倍または略正の整数分の１に設定される。例えば、ＵＨＦ帯（９００ＭＨｚ程度）での使用を想定した場合、反射板５００の長手方向の長さは１５ｃｍ程度となる。
【００６９】
また、この反射板５００の表面（電磁波を反射する表面）は、管理用棚４００に配置されたシート状アンテナ２００の表面（電磁波を送受信する表面）に対して、略垂直（好ましくは、垂直）になるように、管理用棚４００の底面上に配置される。
【００７０】
なお、図３の例では、反射板５００は、管理用棚４００の底面４上に並べられた複数の光記録媒体用ケース１の間に、配置されているが、管理用棚４００の底面４上に並べられた複数の光記録媒体用ケース１の両脇に、配置するようにしてもよい。
【００７１】
なお、図３に例では、反射板５００がその表面全体に金属が配置された構成を有するが、例えば、反射板５００は、紙等の板状の基材にメッシュ形状の金属膜やバー状の金属膜等の導体を配置して構成するようにしてもよい。この場合においても、反射板５００は、その表面で、ＩＣタグ１００とシート状アンテナ２００との交信で使用される、例えば、ＵＨＦ帯（９００ＭＨｚ程度）の電磁波を、反射する。
【００７２】
また、図４に示すように、光ディスク１を管理するための管理システム１０００は、複数の光記録媒体用ケース３と、シート状アンテナ２００と、管理装置３１０、リーダ／ライタ３２０と、同軸ケーブル３３０と、配線３４０と、反射板５００と、を備える。
【００７３】
シート状アンテナ２００は、光記録媒体用ケース３が並べられる管理用棚４００（図３）に配置される。このシート状アンテナ２００と反射板５００とにより、１つのアンテナが構成される。
【００７４】
リーダ／ライタ３２０は、ブーストアンテナ２、ダイポール型のアンテナ１００ｂ、および、シート状アンテナ２００を介して、光ディスク１のＩＣタグ１００と通信するようになっている。
【００７５】
管理装置３１０は、光ディスク１のＩＣタグ１００とリーダ／ライタ３２０との通信により得られた情報に基づいて、光ディスク１を管理するようになっている。
【００７６】
また、図４に示すように、シート状アンテナ２００は、薄い平板状の誘電体層２５０を、メッシュ状の導電体層２３０と平板状の導電体層２４０とで挟む構造を有する。また、メッシュ状の導電体層２３０のメッシュ周期と、誘電体層２５０の厚さと、は、シート状アンテナ２００を伝搬する波長よりも小さいものとする。
【００７７】
また、メッシュ状の導電体層２３０は、例えば、メッシュ周期が７ｍｍのメッシュ状の導体の構造を有し、一辺が６ｍｍの正方形の開口部分を有する。このような形状では、メッシュ状の導電体層２３０の表面から一定の高さまで（シート状アンテナ２００の表面から一定の高さまで）、電磁場が染み出すようになる。
【００７８】
この電磁場が染み出す領域を浸出領域という。この浸出領域の高さは、メッシュのパターン形状とシート状アンテナ２００の誘電体層２５０の厚さと誘電率によって決まる。
【００７９】
例えば、メッシュの線間隔がＩｍ、メッシュの線幅がＷｍの正方形のメッシュ構造を有するメッシュ状の導電体層２３０においては、メッシュ周期は（Ｗｍ＋Ｉｍ）となる。
【００８０】
また、シート状アンテナ２００において、メッシュ状の導電体層２３０のメッシュ周期は、伝搬する電磁波の波長より十分短いものとし、例えば、伝搬する電磁波の０．２倍以下である。
【００８１】
また、誘電体層２５０の厚さは、伝搬する電磁波の波長よりも十分短いものとし、例えば、誘電体層２５０の厚さは、波長の０．０４倍以下である。
【００８２】
このように、メッシュ状の導電体層２３０のメッシュ周期と誘電体層２５０の厚さとが、シート状アンテナ２００を伝搬する電磁波の波長よりも十分に小さい場合には、所謂、導波管と同様に、シート状アンテナ２００が遮断周波数を有する。そして、シート状アンテナ２００の横幅Ｗが電磁波の半波長の整数倍である場合に共振を起こす（例えば、特開２０１０−１１４６９６号公報参照）。
【００８３】
そして、横幅Ｗが半波長の整数倍である場合には、シート状アンテナ２００を伝搬する電磁波が共振状態となるため、シート状アンテナ２００のメッシュ状の導電体層２３０から放射される電力が増大する。    
さらに、シート状アンテナ２００の横幅Ｗの長さと、シート状アンテナ２００を伝搬する電磁波の半波長の長さとが等しい場合には、シート状アンテナ２００の長辺Ｌ方向に、所謂、平面波として電磁波が進行しているように見える（例えば、特開２０１０−１１４６９６号公報参照）。
【００８４】
したがって、シート状アンテナ２００の電磁波吸収部材２１０は、シート状アンテナ２００の何れか一方の短辺に配置されていればよい。シート状アンテナ２００においては、電力を入力する電磁波インタフェース２２０を他方の短辺に配置しているので、給電点がある短辺と対向する短辺に電磁波吸収部材（終端部材）２１０を配置すればよい。
【００８５】
電磁波吸収部材２１０は、導体板と抵抗とを組み合わせた構成とすることができ、例えば、導体板をメッシュ状の導電体層２３０の上に載置してもよい。
【００８６】
また、図４に示すように、リーダ／ライタ３２０は、光ディスク１の管理を実行する管理装置３１０に配線３４０を介して接続される。
【００８７】
シート状アンテナ２００は、リーダ／ライタ３２０に、同軸ケーブル３３０と電磁波インタフェース２２０を介して接続される。
【００８８】
なお、リーダ／ライタ３２０は、読み取り機能または書き込み機能の少なくとも何れか一方を有する。
【００８９】
また、リーダ／ライタ３２０は、ＩＣタグ１００と通信する場合に、電磁波を同軸ケーブル３３０と電磁波インタフェース２２０とを介して、シート状アンテナ２００に通信用の電磁波を入力する。
【００９０】
そして、ＩＣタグ１００は、シート状アンテナ２００から放射され通信内容に応じた電磁波を、ブーストアンテナ２と、ダイポール型のアンテナ１００ｂとを介して受信する。一方、ＩＣタグ１００ａは、シート状アンテナ２００に対して、ブーストアンテナ２と、ダイポール型のアンテナ１００ｂとを介して、通信内容に応じた電磁波を送信する。
【００９１】
管理装置３１０は、リーダ／ライタ３２０と光ディスク１のＩＣタグ１００との通信により得られた情報に基づいて、光ディスク１を管理する。
【００９２】
なお、管理システム１０００において、同軸ケーブル３３０、配線３４０に代えて、管理装置３１０、リーダ／ライタ３２０、シート状アンテナ２００との間を、無線で情報が伝達するようにしてもよい。
【００９３】
ここで、光ディスク１に付されたＩＣタグ１００のダイポール型のアンテナ１００ｂの偏波方向には、指向性がある。したがって、ダイポール型のアンテナ１００ｂの向きとシート状アンテナ２００の表面の垂線との位置関係により、ＩＣタグ１００ａの電磁波の送受信の感度が異なる。
【００９４】
しかし、本実施例においては、光ディスク１を収納する光記録媒体用ケース３にブーストアンテナ２に設けられていることにより、ダイポール型のアンテナ１００ｂの偏波方向の指向性の影響を低減し、ＩＣタグ１００ａとシート状アンテナ２００との間の電磁波の送受信の感度を向上させることができる。
【００９５】
さらに、既述のように、反射板５００は、ＩＣタグ１００とシート状アンテナ２００との交信で使用される該電磁波を反射する。また、光記録媒体用ケース３のブーストアンテナ２も該電磁波を反射する。これにより、ダイポール型のアンテナ１００ｂの偏波方向の指向性の影響がさらに低減し、ＩＣタグ１００ａとシート状アンテナ２００との間の電磁波の送受信の感度をさらに向上させることができる。
【００９６】
すなわち、シート状アンテナ２００上でのＩＣタグ１００の読取り率および読取り数が、飛躍的に向上することになる。
【００９７】
これにより、複数の光記録媒体に付されたＩＣタグ１００をより適切に読み取り、光記録媒体に対する所定の管理を実施することができる。
【００９８】
なお、既述の図３では、反射板５００が管理用棚４００の底面４上で固定されている例について示したが、図５に示すように、反射板５００が管理用棚４００の底面４（シート状アンテナ２００）上で、シート状アンテナ２００の表面に対して平行に移動可能なように設定してもよい。
【００９９】
ここで、図３、図５の例では、シート状アンテナ２００が管理用棚４００の底面４上に配置された構成について示したが、シート状アンテナ２００が管理用棚４００の背面５上に配置するようにしてもよい。
【０１００】
図６および図７は、図２に示す光記録媒体用ケース３を並べた状態の、シート状アンテナ２００および反射板５００が配置された管理用棚４００の構成の例を示す図である。なお、管理システムの構成は、図４に示す構成と同様である。
【０１０１】
図６に示すように、管理用棚４００は、底面４上に、複数の光記録媒体用ケース３が並んで配置されるようになっている。そして、管理用棚４００の背面５に、シート状アンテナ２００が配置されている。
【０１０２】
なお、この図６の例では、反射板５００は、管理用棚４００の底面４上に並べられた複数の光記録媒体用ケース１の間に、配置されているが、管理用棚４００の底面４上に並べられた複数の光記録媒体用ケース１の両脇に、配置するようにしてもよい。
【０１０３】
また、図７に示すように、反射板５００が管理用棚４００の底面４上で、シート状アンテナ２００の表面に対して平行に移動可能なようしてもよい。
【０１０４】
なお、図６、図７の例において、例えば、シート状アンテナ２００の幅Ｗの中心の管理用棚４００の底面４からの高さと、光記録媒体用ケース３のブーストアンテナ２の管理用棚４００の底面４からの高さとがほぼ等しくなるように設定されている。これにより、ブーストアンテナ２とシート状アンテナ２００との通信距離が短くなる。
【０１０５】
また、図２に示す光記録媒体用ケース３のブーストアンテナ２の構成は、一例であり、同様の機能を有すればブーストアンテナ２は異なる構成を有していてもよい。
【０１０６】
以上のような構成により、反射板５００がＩＣタグ１００とシート状アンテナ２００との交信で使用される例えば、ＵＨＦ帯（９００ＭＨｚ程度）の電磁波を反射して、ダイポール型のアンテナ１００ａ、ブーストアンテナ２、およびシート状アンテナ２００の感度を向上し、ＩＣタグ１００の読み取り性能を向上することができる。
【０１０７】
以上のように、本実施例に係る管理システムによれば、リーダ／ライタによるシート状アンテナを介したＩＣタグの読み取り性能を、向上することができる。
【０１０８】
なお、既述の実施例においては、ＩＣタグが付された書籍類である光記録媒体を、ブーストアンテナが設けられたケースに収納する例について説明した。
【０１０９】
しかし、ＩＣタグが付された書籍類を、そのまま管理システムの管理用棚に並べて管理するようにしても、ＩＣタグの読み取り性能を向上し、本発明の効果を奏することができる。
【０１１０】
さらに、ＩＣタグが付された書籍類にさらにブーストアンテナを直接設けて、管理システムの管理用棚に並べて管理するようにしても、ＩＣタグの読み取り性能を向上し、本発明の効果を奏することができる。
【符号の説明】
【０１１１】
１  光ディスク（光記録媒体（書籍類））
２  ブーストアンテナ
２ａ  バーアンテナ
２ｂ  バーアンテナ
３  光記録媒体用ケース
３１  ケース本体
１００  ＩＣタグ
１００ａ  ＩＣチップ
１００ｂ  アンテナ
１００ｂ−１  ループ部
１００ｂ−２  延在部
１０３  光記録媒体用ケース
１３１  ケース本体
２００  シート状アンテナ
２１０  電磁波吸収部材（終端部材）
２２０  電磁波インタフェース
２３０  メッシュ状の導電体層
２４０  平板状の導電体層
２５０  誘電体層
３１０  管理装置
３２０  リーダ／ライタ
３３０  同軸ケーブル
３４０  配線
４００  管理用棚
５００  反射板
【図１】
0005641429.tif 000002
【図２】
0005641429.tif 000003
【図３】
0005641429.tif 000004
【図４】
0005641429.tif 000005
【図５】
0005641429.tif 000006
【図６】
0005641429.tif 000007
【図７】
0005641429.tif 000008